(57)【要約】【課題】本発明は、ベッドサイドの固定フレームと回転側フレームとの間に設けられる回転構造の改良に関する。【解決手段】  上端が上方に突出し基端が可動側筒部内に挿入された押圧操作部と、該押圧操作部に固定されて下方に伸びると共に、固定側筒部内で軸受された回転軸部内で昇降可能な作動部材とを有し、固定係合受部と係合して回転軸部の回転を規制してロックする昇降係合部と、昇降係合部を固定係合受部から離間させてロック解除姿勢を維持するガイド部と係合突部との組み合わせを有し、可動部材に固定された回転軸部を所定の角度毎に回転して回転側フレームを固定側フレームに対して開閉しうることを特徴とする。【選択図】図３
2016221120.tif 000002
【特許請求の範囲】
【請求項１】
ベッドサイドの固定側フレームと回転側フレームとの間に設けられる回転側フレームの回転とロックとを制御する回転構造において、
固定側フレームに設けられた固定側筒部を有する固定部材と、
回転側フレームに形成されると共に、前記固定側筒部と同軸線上に設けられた可動側筒部を有する可動部材と、
上端が上方に突出し基端が可動側筒部または固定側筒部内に挿入されてロック解除方向となる上向きに付勢された押圧操作部と、該押圧操作部に固定されて下方に伸びる作動部材と、
前記可動部材に固定されると共に固定側筒部の中空内で旋回可能に軸受される回転軸部と、該回転軸部の軸線に沿って上下に伸び、前記作動部材を昇降自在に嵌合する縦穴部と、
前記固定側筒部の内周壁に固定された内歯部を有する固定係合受部と、
前記内歯部と係脱する外歯部を有し、前記作動部材と連動して回転軸部の外周面に沿って昇降すると共に回転軸部と連動して回転可能となっており、前記固定係合受部と係合するロック位置と、固定係合受部から離間するロック解除位置に変位し、前記ロック位置にて前記回転軸部の回転を規制し、ロック解除位置にて回転軸部を回転可能とする昇降係合部と、
前記作動部材と連動して回転軸部の外周面に沿って昇降すると共に回転軸部と連動して回転可能となっており、外周面に凹凸係合部を有するガイド部と、
前記固定側筒部の内壁面に設けられて前記昇降係合部のロック解除位置で、前記ガイド部の凹凸係合部の凹部に係脱可能に係合して回転軸部の回転および作動部材の上方向への変位を前記回転軸部に所定の力が加わるまで拘束する係合部とからなることを特徴とするベッドサイドのフレーム回動構造。
【請求項２】
固定係合受部の内歯部が、下向きに漸次拡開するテーパ状に形成されており、昇降係合部の外歯部が、前記内歯部と係合するように下向きに漸次拡開するテーパ状に形成されており、係合時に面接触しうることを特徴とする請求項１に記載のベッドサイドのフレーム回動構造。
【請求項３】
回転軸部に、昇降係合部の係合位置と係合解除位置間の長さに対応した長穴が穿設されており、
作動部材に、前記長穴を通り、昇降係合部とガイド部とを固定する連結部材が設けられており、
該長孔を介して、前記作動部材の昇降によって昇降係合部とガイド部が同時に昇降し、前記回転軸部の回転によって昇降係合部とガイド部が同時に回転することを特徴とする請求項１または２に記載のベッドサイドのフレーム回動構造。
【請求項４】
連結部材が作動部材に固定された連結ピンからなっており  
該連結ピンが、回転軸部の外周面に沿って上下に摺動する摺動部を介して昇降係合部とガイド部とに固着してなることを特徴とする請求項１から３のいずれかに記載のベッドサイドのフレーム回動構造。
【請求項５】
ガイド部が外周面に沿って環状に隆起する帯状の隆起部を有し、該隆起部は中間位置が径方向に最も隆起し、隆起部の下方が中間位置に向かって漸次隆起する傾斜面となり、前記隆起部の上方が中間位置との間に掛止段部が形成された凹部と、前記中間位置と同一面で隆起し、前記凹部より上方位置まで延びる突部とからなっており、
係合部は、先端が回転軸部の軸線に向かって出没するプランジャからなって、該プランジャの先端の突出時に前記ガイド部の凹部に係合して作動部材の上昇を拘束して回転軸部の回転を凹部の角度間隔に沿って回転させ、
前記プランジャの先端が退動して凹部から脱し突部上にくると、回転軸部を上向きに付勢するスプリングによってガイド部材がプランジャの先端を越えて上昇し、固定係合受部と昇降係合部とが係合して回転軸部の回転をロックすることを特徴とする請求項１から４のいずれかに記載のベッドサイドのフレーム回動構造。
【発明の詳細な説明】
【技術分野】
【０００１】
本発明は、ベッドサイドの固定フレームと可動フレームとの間に設けられる回転構造の改良に関する。
【背景技術】
【０００２】
従来、この種の回動構造として、特開２０１２−７１１０１号公報のベッド用グリップでは、ベッドに取付ける固定柵部の一側部に回動機構を介して水平回動自在となるようにグリップ部を連設してなるベッド用グリップにおいて、前記固定柵部の一側部下方には上面に内歯プレートを固着したシテンパイプを固着する一方、上方には取付支持プレートとロック部支持プレートを固着するに該取付支持プレートに穿設した空孔部と該ロック部支持プレートの回動軸部の軸心が前記内歯プレートの外径の軸心と同一線上に位置するよう配置し、上記グリップ部のグリップフレームを構成する支持パイプの下端部には前記内歯プレートに噛合する外歯プレートを固着するとともに、これら内歯プレートと外歯プレートを覆うカバーパイプを該支持パイプに固着し、前記支持パイプの上端を前記空孔部に挿通し、また、前記ロック部支持プレートでロックプレートに設けた回動軸部を回動自在に支持するとともにスプリングを介在させ該ロックプレートが上方回動するよう付勢させ、前記空孔部に挿通するガイドパイプ内にロック解除ボタンを挿通して、該ロック解除ボタンで前記ロックプレートの作動片を前記スプリングに抗して下方回動自在とすることにより、該ロックプレートに設けたストッパー片が前記スプリングの付勢力によってグリップ部の支持パイプの上端に接触する状態から該ストッパー片が前記支持パイプの上方摺動域から退避してグリップ部が上方に摺動自在な状態となり、前記内歯プレートと外歯プレートとの噛合が解除され、水平回動自在な状態となるよう構成してなる回動機構を具備した構成が開示されている。
【０００３】
また、特開２０１１−８７８０３号公報の介助装置では、ベッドのサイドフレームに固定されて被介助者がベッドから転落するのを防止するとともに手すりとなる介助レールと、前記介助レールに水平方向回動可能に取付けられて被介助者がベッドから転落するのを防止するとともに手すりとなる介助アームと、
前記介助レールに対する前記介助アームの回動を禁止するロック機構とを備えた介助装置において、前記ロック機構は、前記介助レールに設けられるアッパ部材と、前記介助アームに設けられるとともに、前記アッパ部材の下方に前記アッパ部材に水平方向回動可能に取付けられるロア部材と、前記ロア部材と一体的に垂直方向に移動可能であるとともに前記アッパ部材を貫通するシャフト部材と、前記シャフト部材に垂直方向回動可能に取付けられるロックレバーとを備え、前記ロックレバーが回動されて前記ロア部材および前記シャフト部材が前記アッパ部材に対して垂直上方に引上げられるとともに前記アッパ部材と前記ロア部材との間に配設されたクラッチが係合されて第１ロック状態となり、前記第１ロック状態から前記ロックレバーがさらに水平方向に前記シャフト部材側に押し込まれ、第２ロック状態となるロック機構を備えた構成が開示されている。
【０００４】
前者では、ロック解除ボタンを押し下げロックプレートのストッパー片が支持パイプの上端から離間して作動片と支持パイプとの間に空間が形成され、この状態になると、次にグリップ部を上方に持ち上げることでロックを解除して回転させることができる。
従って、ロック解除ボタンを押しながら外部に露出している支持パイプを介してグリップ部材を持ち上げることでロックを解除し、前記支持パイプを回転させる必要があり、回転させるのに手間がかかるという問題点があった。
また、後者では、シャフト部材に枢着されたロックレバーの先端のカムの変位でアッパ部材をロア部材に接近乃至離間させてクラッチを係合乃至離脱させる構成となっており、ロックレバーのロック位置を維持した状態でロア部材に連結された介助アームを前記シャフト部材を中心に回転させるため、ロックレバーに意図しない力が加わった場合には、係合状態に戻ってしまうという問題点があった。
【先行技術文献】
【特許文献】
【０００５】
【特許文献１】特開２０１２−７１１０１号公報
【特許文献２】特開２０１１−８７８０３号公報
【発明の概要】
【発明が解決しようとする課題】
【０００６】
この発明は上記事情に鑑みて創案されたものであって、その主たる課題は、ロック解除用の押圧操作部を押し下げると可動側のフレームの旋回規制ロックを解除して、固定側のフレーム側に回転側のフレームを一定角度回転させ、または押し続けることで任意の角度に回転させて、回転側フレームを開閉することができるベッドサイドのフレーム回動構造を簡単な構造で提供することにある。
【課題を解決するための手段】
【０００７】
本発明は、上記課題を解決するために、請求項１の発明では、
ベッドサイドの固定側フレームと回転側フレームとの間に設けられる回転側フレームの回転とロックとを制御する回転構造において、
固定側フレームに設けられた固定側筒部を有する固定部材と、
回転側フレームに形成されると共に、前記固定側筒部と同軸線上に設けられた可動側筒部を有する可動部材と、
上端が上方に突出し基端が可動側筒部または固定側筒部内に挿入されてロック解除方向となる上向きに付勢された押圧操作部と、該押圧操作部に固定されて下方に伸びる作動部材と、
前記可動部材に固定されると共に固定側筒部の中空内で旋回可能に軸受される回転軸部と、該回転軸部の軸線に沿って上下に伸び、前記作動部材を昇降自在に嵌合する縦穴部と、
前記固定側筒部の内周壁に固定された内歯部を有する固定係合受部と、
前記内歯部と係脱する外歯部を有し、前記作動部材と連動して回転軸部の外周面に沿って昇降すると共に回転軸部と連動して回転可能となっており、前記固定係合受部と係合するロック位置と、固定係合受部から離間するロック解除位置に変位し、前記ロック位置にて前記回転軸部の回転を規制し、ロック解除位置にて回転軸部を回転可能とする昇降係合部と、
前記作動部材と連動して回転軸部の外周面に沿って昇降すると共に回転軸部と連動して回転可能となっており、外周面に凹凸係合部を有するガイド部と、
前記固定側筒部の内壁面に設けられて前記昇降係合部のロック解除位置で、前記ガイド部の凹凸係合部の凹部に係脱可能に係合して回転軸部の回転および作動部材の上方向への変位を前記回転軸部に所定の力が加わるまで拘束する係合部とからなることを特徴とする。
【発明の効果】
【０００８】
本発明のベッドサイドのフレーム回転構造では、ロック解除用の押圧操作部を押し下げると、作動部材を介して昇降係合部とガイド部を押し下げるので、固定係合受部と昇降係合部との係合が解除されて、回転軸部が回転可能なロック解除状態にする。
これと共にガイド部の凹凸係合部の凹部に係合突部が突入し、ロック方向の付勢力に抗してロック解除状態を維持する。
昇降係合部とガイド部とは回転軸部と連動して回転し、同時に作動部材と共に昇降するように構成されているので、ロック乃至ロック解除、およびロック状態の維持を簡単な構成で操作性の向上を図ることができる。
また、昇降係合部に設けた外歯部と固定係合受部に設けた内歯部とをテーパ状に形成することで噛合だけでなく面接触にすることでロック時のがたつきを抑えることができる。
また、前記ガイド部に凹凸係合部を設け、回転可能としたので、ボールプランジャなどの係合突部は１つだけ配置することができ、部品数を省き、構成部品の品質の安定化も図ることができる。
また、回転軸部の軸受部を、スペーサ状とし、固定側筒部の内壁面に上下に固定すれば、回転軸部の回転を安定させることもできる。
【図面の簡単な説明】
【０００９】
【図１】ベッドサイドのフレーム回動構造の側面図である。
【図２】回転側フレームを固定側フレームと直線に並ぶ閉位置から内側または外側に段階的に回転させる場合を示す平面図である。
【図３】図１の断面図である。
【図４】可動側筒部の断面図である。
【図５】ロック位置を示す要部断面図である。
【図６】ロック解除位置を示す要部断面図である。
【図７】固定部材の斜視図である。
【図８】固定部材の断面図である。
【図９】固定部材の別の角度からの断面図である。
【図１０】固定部材の平面図である。
【図１１】昇降係合部の側面図である。
【図１２】昇降係合部の断面図である。
【図１３】昇降係合部の斜視図である。
【図１４】ガイド部の側面図である。
【図１５】ガイド部の正面図である。
【図１６】ガイド部の断面図である。
【発明を実施するための形態】
【００１０】
以下に、この発明のベッドサイドのフレーム回動構造の好適実施例について図面を参照しながら説明する。
【実施例１】
【００１１】
図１〜３に示すフレーム回転構造１０は、ベッドサイドの固定側フレーム１と開閉用の回転側フレーム１１との間に設けられて、回転側フレーム１の回転とロックとを制御する構成からなっている。
【００１２】
前記固定側フレーム１は、固定部材２に突設されてベッドサイドに沿って略水平に伸びる取付軸部２ａに固定されており、固定部材２の先端側には固定側筒部３を有している（図６〜図９参照）。
前記回転側フレーム１１は、可動部材１２に突設されて、閉止位置でベッドサイドに沿って略水平に伸びる取付軸部１２ａに固定されており、可動部材１２の先端側には可動側筒部１３を有している（図３参照）。
【００１３】
上記可動側筒部１３は上下に貫通する中空部を有しており、上端が可動側筒部１３の上方に突出し基端が中空部内に挿入される押圧操作部１５が収納されている。
即ち、中空部の上部に配置された第１中空部１３ａ内で昇降しうるように収納されている。
また、該第１中空部１３ａには上記押圧操作部１５をロック解除方向となる上向きに付勢するコイルスプリング６が内蔵されている。
図示例では、コイルスプリング６の上部が押圧操作部１５の下方に形成された環状の溝に挿入されてコイルスプリング６の上部を嵌合しており、該コイルスプリング６の下端は第１中空部１３ａの底部１３ａ’上に支持されており、押圧操作部１５を回転ロック方向となる上向きに付勢している。
【００１４】
前記第１中空部１３ａの底部１３ａ’には、小径の第２中空部１３ｂが貫通形成されており下部で前記第１中空部１３ａとほぼ同径で底部が開口された第３中空部１３ｃと連通している。
そして、第２中空部１３ｂには、前記押圧操作部１５に固定されて軸線に沿って下方に伸びる柱状の作動部材１７が摺動可能に貫挿されている。
また、第３中空部１３ｃには回転軸部１６の上部が略隙間なく嵌合し、第３中空部１３ｃの内壁には、前記回転軸部１６が上下方向に動かないように拘束する係止突部１３ｄが突設されている。
ここで回転軸部１６は、可動部材１２の回転と共に回転するものであり、回転軸部１６は可動部材１２に固定し、または連動して回転するように回転方向に拘束されて一体に回転するように取付けられている。
【００１５】
前記固定側筒部３は、前記回転軸部１６の中空部と連通して上下に貫通する中空部を有しており、固定側筒部３の内壁の上方に第１軸受部７、下方に第２軸受部８を設けて、前記回転軸部１６の可動側筒部１３から垂下する部分をその軸線を中心に回転可能に軸受している（図５（ａ）（ｂ）参照）。
ここで、回転軸部１６は、上部が大径となり、第１軸受部７と接する部分を過ぎた下方が小径の軸部からなっている。
【００１６】
図示例の場合、第１軸受部７は上下が開放された貫通孔を有する同一断面の環状体からなっており、第２軸受部８は、上部が開口して内部に大径の収納部８ａを設けた有底の環状体で、底面に前記回転軸部１６を貫挿して軸受けする軸受孔８ｂを有している。
【００１７】
そして、回転軸部１６の上部は前述の第３中空部１３ｃに隙間なく嵌合し、中途位置の環状の凹部に前記係止突部１３ｄが嵌合し、前記凹部を超えた下部は前記第１軸受部７と接して回転する上部回転面２６ａがわずかに小径となって内側に窪む段差が形成され、該段差に第１軸受部７の上面の内壁角部が掛け止められている。
また、前記回転軸部１６の下部は小径の下方軸部２７となって固定側筒部３の下部まで伸びている。
【００１８】
第２軸受部８はその外壁面が、固定側筒部３の下方の内壁面に固定されており、その内壁面で中央に向かって突出する段部によって  第２軸受部８が上向きに移動しないように拘束されている。
そして、回転軸部１６の下方軸部２７は、前述のように、前記第２軸受部８の軸受孔８ｂに挿入され、挿入部分の外壁面が下部回転面２６ｂとなって軸受される。
【００１９】
回転軸部１６には、前記下方軸部２７に沿って、昇降係合部１８と、ガイド部２０とが上下に摺動自在に取付けられている。
本実施例では、昇降係合部１８と、ガイド部２０とが摺動部９を介して下方軸部２７上を摺動する。
ここで、摺動部９は、筒体の下端に環状のフランジ９ａが設けられ、筒体の中央の貫通穴９ｂに前記下方軸部２７が貫挿されており、摺動部９は、下方軸部２７に沿ってその軸方向で上下に摺動しうるようになっている。
【００２０】
前記固定側筒部３には、その上方寄りの中途位置の内壁面に、筒状の係合固定受部４が固設されている。
この係合固定受部４は、内壁面に内歯部５を有している（図７、図９参照）。
【００２１】
一方、前記昇降係合部１８は、図１０から図１２に示すように、筒体の上部に前記内歯部５と噛合する大径の外歯部１９を有している。
外歯部１９の内側には、横断面が多角形（図示例では正方形）の掛止中空部１８ａが形成されており、外歯部１９の下部の小径の筒体には、前記掛止中空部１８ａより大きい外周を有する拡開中空部１８ｂが形成されている。
前記掛止中空部１８ａと拡開中空部１８ｂとは上下に連通しており、回転軸部１６の下方軸部２７が貫挿する。
本実施例では、下方軸部２７は横断面が前記掛止中空部１８ａの断面に対応した多角形（図示例では正方形）からなっているので、回転軸部１６の回転は下方軸部２７を介して昇降係合部１８を回転させる。
【００２２】
前記固定係合受部４と昇降係合部１８との係合により回転軸部１６の回転が拘束されるが、本実施例では、内歯部５と外歯部１９は、共に、上から下向きに漸次拡開するテーパ状に形成されており、前記噛合による係合時に、面接触することで、ぐらつくことなく、より強固に回転を規制することができる。
【００２３】
ガイド部２０は筒状からなっており、昇降係合部１８の下方で、昇降係合部１８と一体に昇降し、また回転軸部１６と連動して回転するように取付けられる。
本実施例では、図５に明瞭なように、摺動部９の筒体が下方軸部２７に外嵌した状態で、前記下方軸部２７に外嵌した昇降係合部１８の拡開中空部１８ｂの空間に隙間なく嵌合されており、昇降係合部１８の下端が摺動部９のフランジ９ａ上に載置される。
【００２４】
前記昇降係合部１８の下方、図示例では外歯部１９の下方で拡開中空部１８ｂに対応する昇降係合部１８の外壁面に、ガイド部２０が隙間なく外嵌しており、下端が前記摺動部９のフランジ９ａ上に載置される。
【００２５】
上記摺動部９と、昇降係合部１８と、ガイド部２０とは、作動部材１７と一体に昇降するようになっている。
即ち、作動部材１７の下部には径方向に伸びる貫通孔１７ａが穿設されており、連結ピンＰが嵌挿されて左右に伸びている。
本実施例では、連結ピンＰはスプリングピンを用いているが、その他のピンやねじを有するものでもよい。
【００２６】
回転軸部１６には、前記作動部材１７で連結ピンＰが取付けられた位置における昇降範囲に対応して、縦穴１６ａと連通する長孔１６ｂが１８０度間隔で一対穿設されている。
そして、前記連結ピンＰは、上記長孔１６ｂを介して左右外方へ突出しているので、回転軸部１６が回転すると連結ピンＰは長孔１６ｂを介して回転軸部１６および作動部材１７と共に回転する
【００２７】
次に、前記摺動部９と、昇降係合部１８と、ガイド部２０には、同様に１８０度間隔で前記連結ピンＰを挿通させる孔が穿設されて前記連結ピンＰを貫挿している。
図中、符号ｅは、連結ピンＰを通すための孔で、前記作動部材１７の貫通孔１７ａと同径で、摺動部９、昇降係合部１８、ガイド部２０にそれぞれ連通可能に穿設された一対の孔を示す。
これにより、作動部材１７の昇降が連結ピンＰを介して摺動部９と昇降係合部１８とガイド部２０に伝達されるので、作動部材１７と一体に摺動部９と昇降係合部１８とガイド部２０とが昇降する。
本実施例では、昇降係合部１８と摺動部９とが下方軸部２７に沿って摺動し、ガイド部２０は昇降係合部１８と摺動部９によって昇降するが、この発明では昇降係合部１８と摺動部９とガイド部２０とが作動部材１７と共に上下に変位する構成であればよい。
【００２８】
ガイド部２０は、図１３から図１５に示すように筒状からなっており、外周面で隆起する凹凸係合部２１を有している。
そして、前述のように、連結ピンＰで摺動部９および昇降係合部１８と共に作動部材１７に固定されており、凹凸係合部２１は固定側筒部３の内壁面寄りに位置している。
本実施例では、ガイド部２０は、昇降係合部１８に外嵌して凹凸係合部２１が前記外歯部１９より内壁面寄りとなるが、ガイド部２０の肉厚を厚くして、直接に摺動部９に固定したり、回転軸部１６に沿って摺動させるなどしてもよい。
【００２９】
前記固定側筒部３の内壁面には、前記昇降係合部１８のロック解除位置で、前記ガイド部２０の凹凸係合部２１の凹部２２に係脱可能に係合する係合突部２５が設けられている。
前記ガイド部２０は、その外周面に沿って環状に隆起する帯状の凹凸係合部２１が形成されている。
この凹凸係合部２１は、縦断面において、中間位置が径方向（厚み方向）に最も隆起し、下方が中間位置に向かって漸次隆起する傾斜面２１ａとなり、上方が中間位置との間に掛止段部が形成された凹部２２と、前記中間位置と同一面で隆起し前記凹部２２より上方位置まで延びる突部２３との複数の組み合わせからなっている。
【００３０】
前記係合突部２５は、先端２５ａが固定側筒部３の軸線に向かって出没するプランジャからなっており、図５（ｂ）に示すように作動部材１７が最も下降した位置で前記凹部２２と整合しうるように位置決めされている。
また同時に、この位置で、前記昇降係合部１８と固定係合受部４とは、上下に離間したロック解除状態となるように配置される（図５（ｂ）参照）。
【００３１】
また、上下のスプリング６、１４に付勢されて作動部材１７が上昇した位置では、前記昇降係合部１８の外歯部１９と固定係合受部４の内歯部５とが係合するロック状態（図３参照）となる。
そこで、上記ロック状態から、押圧操作部１５の押し下げにより作動部材１７を下降させると、これに伴って昇降係合部１８の外歯部１９が固定係合受部４の内歯部５から外れる。
【００３２】
前記ロック状態でガイド部２０より相対的に下方に位置していた係合突部２５の先端２５ａは、ガイド部２０の下降時に前記凹凸係合部２１の傾斜面２１ａによって内側に押し込まれながら反発力を高めて、隆起部を通過し、厚み方向に窪んだ凹部２２で前記先端２５ａが反発力によって凹部２２の掛止段部に突入する。
これにより、前記コイルスプリング１４によるロック方向（上方向）への付勢力に抗して作動部材１７の上方への動きを規制するので、前記ロックの解除状態を保持することになる。
【００３３】
そこで、回転側フレーム１１を介して可動部材１２を回転すると、前記係合突部２５は凹部２２から前記回転方向に隣接する突部２３上に変位する。
そのため、隣接する凹部２２と突部３の隣接する側壁部分は、係合突部２５の先端２５ａが乗り越えやすいように、可動部材１２による開方向の回転方向に傾斜する傾斜面２１ｂに形成することが好ましい。
【００３４】
上記構成からなっているので、押圧操作部１５に力がかからない場合には、スプリングの付勢力で作動部材１７が図３、図５（ａ）に示す上方位置にあり、昇降係合部１８と固定係合受部４とが係合したロック状態となるので、回転側フレーム１１は固定されたフレーム閉位置にある。
【００３５】
押圧操作部１５を下に押し込むことで、作動部材１７が下降し、連結ピンＰを介して摺動部９、昇降係合部１８、ガイド部２０が同時に下降する。
これにより、前記固定係合受部４から昇降係合部１８が下方にずれてロック解除状態となり、またガイド部２０の下降で凹凸係合部２１に接して係合突部２５の先端２５ａが固定側筒部３の内壁面側に押し込められて付勢力を高め、凹凸係合部２１の凹部２２が係合突部２５の先端２５ａと整合した位置で凹部２２に先端２５ａが係合して、ロック解除状態を維持する。
【００３６】
そこで、回転側フレーム１１を回転させると、前記昇降係合部１８と共にガイド部２０が回転し、凹凸係合部２１も回転するので、係合突部２５の先端２５ａが凹部を乗り越えて係合を脱して突部２３の外壁面上と接触する。
これにより前記スプリング６、１４の付勢力により作動部材１７を介して押し込まれていた押圧操作部１５が元の位置まで上昇する。
作動部材１７の上昇により、昇降係合部１８の外歯部１９が固定係合受部４の内歯部５と噛合して、前記ロック状態になるので、回転側フレーム１１が所定角度回転した状態で、ロック状態に戻る。
従って、前記凹凸係合部２１に形成された隣接する凹部２２の間隔分だけ回転側フレーム１１を回転して固定フレーム３を所定角度だけ開くことができる。
図示例では、凹部２２は、２２．５度間隔で、閉位置から開位置に向かう最初だけ４５度回転しうるように形成されているが、上記角度は任意に設定できる。
【００３７】
本実施例では、可動部材１２は、固定部材２と同一線上に配置される０度を中心にして、＋方向（外向き）に２２．５度間隔で６段階（０〜＋１３５度）回転し、−方向に６段階（０〜−１３５度）回転するようになっている（図２参照）。
図２で実線で示す可動部材１２の位置を０度（閉じた位置）とする閉位置ロックの場合、押圧操作部１５はスプリング５で押し下げられており、作動部材１７を介してロック部材１８も上昇しており、一方の旋回ロック構成部４と他方の旋回ロック構成部１４とが係合して、可動部材１２の回転がロックされる。
【００３８】
即ち、回転側フレーム１１が固定側フレーム１と段違いで平行に延びる閉位置にあるとき、凹凸係合部２１は係合突部２５の上方にあり、固定係合受部４の内歯部５と昇降係合部１８の外歯部１９とが係合（噛合）して回転側フレーム１１がロックされている。
そして、押圧操作部１５により作動部材１７が下降すると、ガイド部２０の基準位置となる凹部の底面（説明上、２２ａとする）に係止突部２５が突入し係合する。
これにより作動部材１７の上昇は規制されロック解除姿勢に維持されるが凹部２２の凹底部が長ければその分回転軸部１６を回転させることができる。
本実施例では、前記凹部２２ａは、ガイド部２０の軸線を中心とした４５°間隔の長さの凹底部を有しているので、回転軸部１６を４５度回転させることができる（図１４、１５参照）。
更に回転軸部１６を回転して、前記係合突部２５が凹部２２ａを乗り越えて隣接する突部２３ａに接すると、前記ロック解除姿勢の規制が解除されるので昇降係合部１８が上昇し、回転した外歯部１９が前記内歯部５と係合して回転がロックされる。
同様にして、次に、作動部材１７を下降すると、前記突部２３ａに隣接する凹部２２ｂに係合突部２５が係合する。そして、前記凹部２２ｂ以降の凹部２２ｃ・・は２２．５度の間隔になっているので、図２に示すような間隔で、可動部材１２を回転させて、回転側フレーム１１を段階的に回転させて開くことができる。
【００３９】
上記実施例では、回転側フレームおよび可動部材が上方に配置され、固定フレームおよび固定部材が下方に配置された例を示したが、上下が逆に配置されるものでもよい。
また、図１５では図示中央の突部２３を中心に左右いずれにも回転しうるようになっているが、いずれか一方だけ回転するようにしてもよい。
その他、この発明は上記実施例に限定されるものではなく、要するに、この発明の要旨を変更しない範囲で種々設計変更しうる。
【符号の説明】
【００４０】
１    固定側フレーム
２    固定部材
３    固定側筒部３
４    固定係合受部４
５    内歯部
６    コイルスプリング（上部）
７    第１軸受部
８    第２軸受部
８ａ  バネ受部
９    摺動部
９ａ  フランジ
９ｂ  貫通穴
１０    回転構造
１１    回転側フレーム
１２    可動部材
１３    可動側筒部
１３ａ  第１中空部
１３ｂ  第２中空部
１３ｃ  第３中空部
１３ｄ  係止突部
１４    コイルスプリング（下部）
１５    押圧操作部１５
１６    回転軸部
１６ａ  縦穴
１６ｂ  長孔
１７    作動部材
１８    ロック部材
１８    昇降係合部
１８ａ    掛止中空部
１８ｂ    拡開中空部
１９    外歯部
２０    ガイド部
２１    凹凸係合部
２１ａ  傾斜面
２２    凹部
２３    突部
２５    係合突部
２６ａ  上部回転面
２６ｂ  下部回転面
２７    下方軸部
ｅ    孔
Ｐ    連結ピン
【図１】
2016221120.tif 000003
【図２】
2016221120.tif 000004
【図３】
2016221120.tif 000005
【図４】
2016221120.tif 000006
【図５】
2016221120.tif 000007
【図６】
2016221120.tif 000008
【図７】
2016221120.tif 000009
【図８】
2016221120.tif 000010
【図９】
2016221120.tif 000011
【図１０】
2016221120.tif 000012
【図１１】
2016221120.tif 000013
【図１２】
2016221120.tif 000014
【図１３】
2016221120.tif 000015
【図１４】
2016221120.tif 000016
【図１５】
2016221120.tif 000017
【図１６】
2016221120.tif 000018